(57)【要約】      （修正有）【課題】ピットなどを設ける必要がないものであって、塗装空間内を比較的少ないエネルギーで換気しながら、自動車や電車などの細長状の被塗装物に対し、溶剤系塗装を有機溶剤中毒予防規則に違反しないで実施する。【解決手段】側周囲を囲壁２で囲まれた気密状の塗装空間１００ａと、前記囲壁に被塗装物の通過可能に形成されてなる開閉口４と、該開閉口の塗装空間側位置に被塗装物の通過を可能とするような変位可能に形成され前記塗装空間の外方から動力で圧送された気体を前記塗装空間内に押し込むように流入させる通気口部１０と、前記塗装空間を挟んで前記開閉口に対向した位置の前記囲壁に形成され動力による吸引力により前記塗装空間内の気体を外方へ流出させる通気口部１２とを備え、通気口部１０から流入された気体が通気口部１２から流出されることで形成される水平向きの気流の軌跡内に被塗装物ｗが位置される。【選択図】図１
2010051904.tif 000002
【特許請求の範囲】
【請求項１】
上下左右の側壁面で囲まれた塗装空間に水平方向に通気口部を対面させて、両者の間で気体を圧送し、吸引するプッシュプル換気通路を形成する塗装ブースにおいて、
塗装空間内に被塗装物を搬入するための開閉扉であって、前記被塗装物の投影形状よりも大きい一方の通気口部が開閉扉の塗装空間側に設けられ、かつ開閉扉の側面側に気体通過口部が設けられ、前記気体通過口部と前記一方の通気口部へ連通する扉内気体通路が設けられた開閉扉と、
前記開閉扉が閉鎖位置にあるときに前記気体通過口部が当接する位置に設けられた気体通用口部であって、前記開閉扉が閉鎖された際に気体通過口部に連通する気体通用口部とを有し、
前記被塗装物の投影形状よりも大きい他の通気口部を前記開閉扉の対面に設け、前記開閉扉が閉鎖された際に前記気体通用口部、前記前記気体通過口部、前記扉内気体通路、前記一方の通気口部、塗装空間、前記他方の通気口部を経るプッシュプル換気通路を形成することを特徴とする塗装ブース。
【請求項２】
前記塗装空間内へ気体を圧送する給気ファンは、排気を行う排気ファンと同じ前記他方の通気口部の裏側位置に設置され、プッシュプル換気通路はさらに前記気体通用口部と前記裏側位置との間に設置されたダクトを有することを特徴とする請求項1記載の塗装ブース。
【発明の詳細な説明】
【技術分野】
【０００１】
本発明は、自動車や電車などの被塗装物の塗装を清浄な環境下で行えるようにする塗装ブースに関する。
【背景技術】
【０００２】
有機溶剤中毒予防規則においては、塗装を行う際には、被塗装物の全て包含する気流の中に設置して行うことが要請されている。このため、プッシュプル換気においては、気流の給気口と排気口とを同形の大きさで対面させて、その中に被塗装物を設置する。給気口と排気口の形状は、少なくとも被塗装物を給気口或いは排気口に投影した際の投影形状よりも大きくなくてはならない。
【０００３】
このような塗装ブースとして、動力給気手段と動力排気手段により生成させた下向き気流により塗装空間内を換気するようにした上下式プッシュプル換気を行う塗装ブースが、例えば特許文献１及び２に開示されている。この塗装ブースでは、被塗装物の平面視の大きさよりも広い天井面部分の略全域から塗装空間内に給気が流入され、一方では被塗装物の平面視の大きさよりも広い床面部分の略全域から塗装空間内の気体が外方へ流出されることにより塗装空間内が層状に換気される。
【０００４】
しかし、上記した上下換気方式の塗装ブースでは、塗装空間内に正立姿勢で位置された自動車や電車などを塗装するとき、自動車や電車などの平面形状が比較的大きいため、動力給気手段や動力排気手段は大きな風量を扱える装置で無いと換気のための風量が得られないという問題がある。また床面部分を通じて塗装空間内の気体を外方へ流出させるため、床面部分の下側に排気通路としてのピットを形成することが必要である。
【０００５】
このような不利益を回避するには、動力給気手段と動力排気手段により水平気流を生成させ、該水平気流により塗装空間内を換気するようにした水平式プッシュプル換気の行われる塗装ブースとすることが考えられる。
【０００６】
また、特許文献３には水平式プッシュプル換気の行われる塗装ブースが示されている。この塗装ブースは動力給気手段の給気口部と動力排気手段の排気口部との間の塗装空間の側方を包囲した囲壁に塗装対象である被塗装物の搬入及び搬出を行うための開口が形成されている構成であるため、自動車や電車などを塗装空間の側方から設定しなければならない。自動車や電車などの走行車両は、前後方向に長尺であり給気口部と排気口部で大面積の換気をしなければならない。
【０００７】
水平換気方式の塗装ブースとして、さらに図６に示すように、塗装空間１００ａの開閉口４の上側の幅方向両端箇所に扉内気体通路８Ａを備え、動力給気手段４１により該扉内気体通路８Ａを経て塗装空間１００ａ内へ給気されることと、動力排気手段４０により塗装空間１００ａ内から外方へ排気されることにより塗装空間１００ａ内に水平向きの気流が生成され、該気流により塗装空間１００ａ内が層状換気される構成とされている水平式プッシュプル換気塗装ブースが存在している。この水平式プッシュプル換気塗装ブースは、塗装空間１００ａ内の換気性能が良好でないため溶剤系塗装には不向きであるが、水性系塗装用途として利用されている。
【特許文献１】特開２００６−１５１９１号公報
【特許文献２】実用新案登録第３１０８４４０号公報
【特許文献３】特開平１１−１７９２５５号公報
【発明の開示】
【発明が解決しようとする課題】
【０００８】
本発明は、ピットなどを設ける必要がないものであって、塗装空間内を比較的少ないエネルギで換気しながら、自動車や電車などの細長状の被塗装物の溶剤系塗装を実施できる塗装ブースを提供することを目的としている。
【課題を解決するための手段】
【０００９】
上記目的を達成するため、本発明は  上下左右の側壁面で囲まれた塗装空間に水平方向に通気口部を対面させて、両者の間で気体を圧送し、吸引するプッシュプル換気通路を形成する塗装ブースにおいて、塗装空間内に被塗装物を搬入するための開閉扉であって、前記被塗装物の投影形状よりも大きい一方の通気口部が開閉扉の塗装空間側に設けられ、かつ開閉扉の側面側に気体通過口部が設けられ、前記気体通過口部と前記一方の通気口部へ連通する内部通路が設けられた開閉扉と、前記開閉扉が閉鎖位置にあるときに前記気体通過口部が当接する位置に設けられた気体通用口部であって、前記開閉扉が閉鎖された際に気体通過口部に連通する気体通用口部とを有し、前記被塗装物の投影形状よりも大きい他の通気口部を前記開閉扉の対面に設け、前記開閉扉が閉鎖された際に前記気体通用口部、前記前記気体通過口部、前記内部通路、前記一方の通気口部、塗装空間、前記他方の通気口部を経るプッシュプル換気通路を形成することを特徴とする。
【発明の効果】
【００１０】
本発明によれば、自動車や電車などの細長状の走行車両（被塗装物）をこれの走行方向（殆どの場合、長手方向）を水平向きの気流の方向に沿わせた状態で開閉口から塗装空間内に搬入することで、塗装空間が自動車や電車などの細長状の被塗装物の方向転換を行わせることができるほどに広くなくても、被塗装物の長手方向を水平向きの気流に沿わせた状態とすることができ、また塗装が終了したときは開閉口を通じることにより被塗装物を塗装空間内から支障なく取り出すことができる。
【００１１】
また塗装中における塗装空間内の換気通路の断面積が走行車両の前後面の投影面積より大きい程度で狭く、比較的少ないエネルギで行えるようになるため、換気用の動力機器（例えば給気ファン、排気ファン、バーナー、クーラーなど）の能力を小さくして設備費を抑制することができる。さらには塗装空間内の換気が水平向きの気流で行われるため、塗装空間の床面に換気用のピットなどを設ける必要がなくなり、短期間でしかも安価に構築できるようになる。
【発明を実施するための最良の形態】
【００１２】
以下本発明の詳細を図面に基づいて説明する。
【実施例１】
【００１３】
図１は本発明に係る塗装ブースの第１実施例を示す側面図、図２は前記塗装ブースの平面図、図３は開閉扉を内側から見た図、図４は開閉扉の斜視図である。
【００１４】
本実施例の塗装ブースは自動車の補修塗装に使用されるもので、図１及び図２に示すように箱体状の本体部１００、給気ユニット１０１、排気ユニット１０２を備えている。
【００１５】
先ず本体部１００について説明すると、１は水平な床面、２は側周囲を包囲した垂直な囲壁、そして３は上面を被った水平な天頂面である。囲壁２の内方空間が密閉状の塗装空間１００ａとなっている。囲壁２の前面部には塗装空間１００ａに対する被塗装物（自動車や電車など）ｗの搬入及び搬出が行われる四角形の第１開閉口４が形成されるほか、囲壁２の側面部には塗装空間１００ａに対し作業者が出入りするための第２開閉口５が形成されている。
【００１６】
塗装空間１００ａは被塗装物ｗを収容し塗装することのできる必要最小限の大きさとされるのであり、本実施例では、予定されている被塗装物ｗが自動車や電車の走行車両であるため、左右方向ｆ１の寸法が４ｍ程度で前後方向ｆ２の寸法が７ｍ〜１０ｍ程度で高さが３ｍ程度である。
【００１７】
第１開閉口４は、囲壁２に形成された四角状の開口４ａ（図２）とこれの内方にヒンジ６（図３）を介して開閉可能に設けられた２枚の扉体７ａ、７ｂとからなっている。２枚の扉体７ａ、７ｂは単一平面状に位置されて開口４ａを気密状に閉鎖したり或いは開口４ａの左右側縁４ｂ、４ｂに沿った縦軸回りへ揺動されることにより図２中に仮想線ａ１で示すような観音開き状に開放される構成である。各扉体７ａ、７ｂは扁平な箱体状となっており、内方下側の比較的広い空間を扉内気体通路８に、そして内方上側の比較的狭い空間を気体横通路９とされている。
【００１８】
扉内気体通路８は、後面に通気可能な通気口部（給気口部）１０を有し、外周面のうちヒンジ６装着側である側面の略全高さ範囲に気体通過口部ｂ１が形成され、それ以外の前面及び外周面を板部材が包囲されており、気体通過口部ｂ１から扉内気体通路８内に流入した気体を通気口部１０の略全面から均等化された流速で流出させる内部通路となっている。通気口部１０は、扉内気体通路８の外周部材の後縁にこれの内方側の全面を被うように固定された格子面部材１０ａと、これの前面の全体に被着されたフィルタ１０ｂ（給気側）とで形成される（図１）。一方、各扉体７ａ、７ｂの気体横通路９は左右方向ｆ１へ長い箱形であって、後面の気体流入口部ｂ２とヒンジ６装着側の側面の気体通過口部ｂ３とを除いて外周囲を板部材で気密状に囲まれている。
【００１９】
図2に詳細に示されるように、囲壁２の前面部で第１開閉口４の左右各側には囲壁２の全高さ範囲に渡る縦向き前気体通路１１が形成されている。この縦向き前気体通路１１は、本体部幅中央側に位置した前後方向縦面１１ａ、後側に位置した左右方向縦面１１ｂ、前側及び横外側を包囲した曲がり縦面１１ｃ、さらに上端面及び下端面のそれぞれを板部材で気密状に包囲された縦長の空間を備え、前後方向縦面１１ａ上部で気体横通路９の横方位置に気体通用口部ｃ１を形成されると共にこの気体通用口部ｃ１の下側に扉内気体通路８の略全高さ範囲に渡る気体通用口部ｃ２を形成された構成とされている。
【００２０】
図4に示すように、気体通用口部ｃ１は扉体７ａ（７ｂも同様）が閉鎖されたときに、気体横通路９の気体通過口部ｂ３にパッキンなどのシール部材ｓ１を介して気密状に連通されるようになっており、また気体通用口部ｃ２は扉体７ａ（７ｂ）が閉鎖されたときに、扉内気体通路８の気体通過口部ｂ１にパッキンなどのシール部材ｓ２を介して気密状に連通されるようになっている。必要に応じて縦向き前気体通路９内の気体を扉内気体通路８内の全高さ範囲に均等に流入させるため、気体案内板（図示せず）が設置される。
【００２１】
囲壁２の後面部には四角平面状の通気口部（排気口部）１２が形成されている。この通気口部１２は２つの通気口部１０からなる平面と平行且つ同一形状で正対されたもので、囲壁２の後面部に形成された四角平面状の開口１２ａとこの開口１２ａの内方の全面を被うように固定された格子部材１２ｂと、この格子部材１２ｂの前側全面に被着されたフィルタ１２ｃとを備えている。
【００２２】
通気口部１２の後側には通気口部１２の後面全体を床面１と板部材１３で包囲する排気室１４が形成されている。この排気室１４は通気口部１２と略同一の前方視大きさを有して通気口部１２を被った前部空間ｄ１と、この前部空間ｄ１に連続してこれの後方の一側の床面１上に位置され高さを前部空間ｄ１の半分程度とされた後部空間ｄ２とを備えている。
【００２３】
天頂面３上にはダクト（上部ダクトと称す）１５が水平状に形成されている。この上部ダクト１５は本体部１００幅の略半分の幅を有する前後方向ｆ２へ比較的長い通気部１５ａと、この通気部１５ａに連通され本体部１００幅の全長に渡る大きさの通気部１５ｂとからなっている。通気部１５ａは後端面(図２紙面上側)の一部を開放されて気体口部ｅ１とされている。また通気部１５ｂの前端面(図２紙面下側)は囲壁２の前面部上に形成されており、これの左右各側で各気体横通路９、９に対応する位置のそれぞれには各扉体７ａ又は７ｂの幅に略合致した幅を有し且つ気体横通路９高さの略半分程度の高さとされた気体通用口部ｅ２が形成されている。図４に示すように、各気体通用口部ｅ２は各扉体７ａ（７ｂも同様）が閉鎖されたときに、その対応する気体横通路９、９の気体通過口部ｂ２にパッキンなどのシール部材ｓ３を介して気密状に連通される。
【００２４】
次に給気ユニット１０１について説明すると、図１及び図２中、１７は給気ファン、１８はバーナー設置通路部、１９は給気送出ダクトである。
【００２５】
給気ファン１７は、塗装空間１００へ気体を圧送するものであり、外気フィルタ２１からダンパー２２を介して外気を導入する経路、後述する排気ユニット１０２からの気体をダンパー３３を介して導入する経路、およびクーラー２３からの冷却経路38からダンパー循環３７を介して導入する経路と接続している。
【００２６】
給気ファン１７は、これらの気体をクーラー２３へ送出し、クーラー２３はこの気体を冷却・除湿を行い、バーナー設置通路部１８へ送出する。この実施例では給気ファン１７は、毎分１６０立法メートル程度の風量が得られるものとされており、定格出力が３．７ｋｗ程度のものが使用される。
【００２７】
バーナー設置通路部１８のバーナー２５は給気ファン１７の送出する気体をガス燃料などの火力で加熱するためのもので、この実施例では８００００ｋｃａｌ／ｈ程度の能力を有するものとされる。
【００２８】
給気送出ダクト１９は、バーナー設置通路部１８の気体流出口部と上部給気ダクト１５の気体流入口部ｅ１とを連通させたもので、バーナー設置通路部１８から流出した気体を上部ダクト１５へ流入させるものである。
【００２９】
上記した給気ユニット１０１の各部は排気室部１４の後部空間ｄ２の横側位置で前部空間ｄ１の直後に省スペース的に設置されている。
【００３０】
次に排気ユニット１０２について説明すると、図１及び図２中、２６は排気ファン、２７は排気放出筒である。排気ファン２６は排気室部１４の床面１上に固設された支持枠２８に固定されたファン装置２９と、支持枠２８に固定されファン装置２９を駆動する電動モータ３０とからなっている。この実施例では毎分１６０立法メートル程度の風量が得られるものとされており、電動モータ３０は定格出力が３．７ｋｗ程度のものが使用される。
【００３１】
排気放出筒２７は排気室部１４の後部空間ｄ２の上面板から本体部１００よりも高く起立されていて、下端が排気ファン２６の排気吐出口に気密状に連通され上端が大気側に開放されると共に、長さ途中にダンパー３１が設けられた構成とされている。
【００３２】
次に気体循環制御通路部１０２について説明すると、図１及び図２中、３２は気体循環制御用の排気通路、３３は排気通路３２の長さ途中に設けられたダンパーである。このさい、排気通路３２は一端が排気放出起立筒２７の長さ途中のダンパー３１よりも排気上流側箇所の内方空間に連通される。
【００３３】
図１及び図２中、３４は囲壁２に形成された透光部、３５は第２開閉口５を形成した扉の透光部、３６はバーナー２５の燃焼ガスを放出する排煙筒である。
【００３４】
次に上記した塗装ブースの使用例及び各部の作用を、溶剤系塗装を実施する場合について説明する。
【００３５】
２つの扉体７ａ、７ｂを観音開き状に開放した後、細長状の被塗装物ｗとして例えば自動車を自身の走行輪の回転により塗装ブースの外方から塗装空間１００ａ内の床面１の塗装実施位置に向け自動車長手方向へ直線状に走行移動させ停止させた後、再び２つの扉体７ａ、７ｂを閉鎖した状態として、プッシュプル換気通路を形成される。する。このさい、通気口部１０及び通気口部１２は塗装実施位置に定置された自動車ｗを前後方向から見たときに、少なくとも、自動車ｗの被塗装箇所の外形が通気口部１０及び通気口部１２のそれぞれの外形範囲内に含まれる状態とする。またダンパー２２及びダンパー３１を開状態にする一方、ダンパー３３を閉状態とする。
【００３６】
次に給気ファン１７及び排気ファン２６を作動状態とする。この状態では、外気が比較的大きな流量（例えば毎分１６０立法メートル程度）で外気フィルタ２１、ダンパー２２、給気ファン１７、バーナー設置通路部１８、気体送出ダクト１９、上部給気ダクト１５、気体横通路９、縦向き前気体通路１１、扉内気体通路８、通気口部１０を経て塗装空間１００ａ内に供給され、一方、塗装空間１００ａ内の気体が通気口部１２に到達したとき、排気として、比較的大きな流量（例えば毎分１６０立法メートル程度）で通気口部１２を透過した後、排気室部１４、排気ファン２６、ダンパー３１、排気放出起立筒２７を経て外方へ排出される。
【００３７】
このような作動が比較的短い一定時間継続されたとき、塗装空間１００ａ内では気体が比較的大きな流量で通気口部１０から後方へ向け流入し、一方ではこのように流入した気体がこれと同じ流量で通気口部１２から後方へ向け流出されるため、通気口部１０から流入した給気は水平で一様な捕捉気流となって自動車ｗの被塗装範囲の全体を包囲した状態で後方へ流動するようになる。この一様な捕捉気流の生成された領域内の気体はプッシュプル方式により効果的に層状換気される。
【００３８】
この層状換気が行われる状態となった塗装空間１００ａ内に作業者が入って塗装を実施する。このさい、塗料から有害物質が発散するが、作業者はこの発散源を常に捕捉気流中に位置させると共に、この発散源と通気口部１２との間に立ち入らないようにする。具体的には、作業者は塗装空間１００ａ内の側部で捕捉気流の範囲外に位置した状態で手に持った塗装ガンを捕捉気流中に位置させて塗料を自動車ｗの被塗装箇所へ向け噴射させるようにするか、或いは手に持った塗装ガンの位置よりも捕捉気流の上流側に位置して塗装ガンから塗料を噴射させるようにする。このように塗装が実施されると、捕捉気流による換気区域と、換気区域以外の区域との境界における全ての気流が通気口部１２を経て排気されるようになる。塗装中には塗装空間１００ａ内に塗料の微粒子や揮発成分が浮遊するようになるが、これらはフィルタ１２ｃにより吸着され除去される。
【００３９】
溶剤系塗装の終了した後、被塗装物ｗの塗装面の塗料を乾燥させる場合には、上記と同様な給気及び排気の流量による換気状態の下で、バーナー２５を作動させて、塗装空間１００ａ内の給気の温度が例えば８０℃程度に維持されるように、バーナー設置通路部１８内を通過する給気を加熱する。これにより、塗装面の塗料は能率的に乾燥される。乾燥が終了した後は、２つの扉体７ａ、７ｂを再び開放して、被塗装物ｗである自動車を自身の走行輪の回転により自身の長手方向の直線状に走行移動させ、塗装空間１００ａの外方に取り出す。
【００４０】
上記した塗装ブースによれば高温多湿状況で塗装することもできる。この場合は、例えばダンパー３３を開放することにより、排気室部１４内の排気を例えば毎分１２０立法メートル程度の流量で吸気ファン１７に流入させると共にダンパー２２の開度を絞って外気をも給気ファン１７の吸引力で例えば毎分４０立法メートル程度の流量で同時に流入させ、次に給気ファンで送出されたこれらの気体をクーラー２３で冷却・除湿し、バーナー２５で加熱して毎分１６０立法メートル程度の流量で塗装空間１００ａ内に流入させ、他方ではダンパー３１の開度を絞って塗装空間１００ａ内の排気を例えば毎分４０立法メートル程度の流量で大気中に放出させる。
【００４１】
上記実施例の塗装ブースで自動車や電車などの被塗装物ｗの塗装を実施するときは、この実施例と同一形状及び大きさの塗装空間を有する塗装ブースにおいて天井面の全体から床面の全体へ向けこの実施例と同一の流速で流動される上下向き捕捉気流を生成させ塗装を実施する場合に較べると、次のような利点がある。
【００４２】
即ち、本実施例では捕捉気流の流れ方向に直交するその断面積が小さくなって、給気の流量が略３分の１で足りるようになる。したがって、給気ファン１７や排気ファン２６の電動モータ２４、３０の出力が小さくて済むと共に、バーナー２５の加熱能力も小さくて済み、さらには給排気用の気体通路の断面積も比較的小さくできるため、上下向き捕捉気流を生成させる場合よりも設備費が大幅に低減されると共に、これら給気ファン１７、排気ファン２６、バーナー２５などで消費されるエネルギーも略３分の１程度に低減される。
【００４３】
さらに床面１に上下向き捕捉気流を生成させる排気用のピットを形成する必要がなくなって、その工事費が不要になると共に塗装ブースの構築に要する期間が短縮されると共に、構築にさいして既設の工場の関連機器の稼働を停止させなくて済むのである。
【００４４】
なお、上記実施例では上部ダクト１５から気体横通路９及び縦向き前気体通路１１を経て扉内気体通路８内に給気を導くようにしたが、これに代えて、縦向き前気体通路１１を設けずに、気体横通路９と扉内気体通路８を連通し、給気をダクト１５から扉内に導いた後、直ちに下方へ流動させて扉内気体通路８内に導き、通気口１０から流出するようにしてもよい。このさい、扉内気体通路８内に気体が通気口部１０から均等に流出するように気体案内板などを設ける。
【００４５】
次に該実施例の塗装ブース１００ａを、水性系塗装を実施する場合について説明する。
溶剤系塗装を実施する場合と同様に、被塗装物ｗとして例えば自動車ｗを塗装空間１００ａ内の床面１の塗装実施位置に停止させた後、給気ファン１７及び排気ファン６を作動状態として、塗装空間１００ａ内に水平な捕捉気流を生成させる。
【００４６】
一方では、給気ファン１７の吸引する気体を先ずクーラー２３で冷却し、次にバーナー２５で加熱する。次このように処理された気体は例えば毎分１６０立方メートル程度で通気口部１０から塗装空間１００ａ内に流入される。
【００４７】
このさい、ダンパー３３は開放されており、塗装空間１００ａ内の排気は例えば毎分１４０立方メートル程度の流量で気体循環制御通路部１０３を経て気体導入部１６内に流入される。塗装空間１００ａ内の排気には有機溶剤におけるような有害な揮発成分は含まれないため、塗装空間１００ａ内の捕捉気流を生成する比較的多くの気体が塗装空間１００ａ内に繰り返し流入されて循環流動されても支障はない。またダンパー２２は開度を絞られるのであり、したがって外気は外気導入路２０から外気を比較的少ない流量（例えば毎分１０〜２０立方メートル程度）で気体導入部１６内に吸引される。またダンパー３１も開度を絞られており、したがって排気室部内１４の排気は、比較的小さな流量（例えば毎分１０〜２０立法メートル程度）で大気中に放出される。
【００４８】
このような作動が比較的短い時間継続され定常状態になったときは、例えば、塗装空間１００ａ内の気体の温度が３０℃であるとき、気体冷却手段３８が該気体を例えば１５℃まで冷却して該気体中の水分を除去し、次に気体加熱手段３９が１５℃の気体を例えば２５℃まで加熱してその湿度を例えば４０％程度に低下させるように作動するのであり、このような作動状況はクーラー２３の調整部材などを操作することにより任意に変更調整される。このさい、比較的少ない流量（例えば毎分１０〜２０立法メートル程度）で外気が塗装空間１００ａ内に連続的に供給され、その一方ではそれと同量の排気が大気中に排出されるように換気系内の気体交換が行われるため、クーラー２３による温湿度の調整に要するエネルギは換気系内の流量と同一の流量で気体交換が行われる場合に較べて著しく少なくて済む。
【００４９】
また塗装中には多量の塗料の微細粒子が塗装空間１００ａ内に浮遊するものとなるが、該微細粒子は通気口部１２のフィルタ１２ｃなどで効果的に除去されるのであり、これにより塗装空間１００ａ内は作業環境の良い状態に保持されると共に、高品質な塗装が行える状態となる。
【００５０】
図５は本発明に係る塗装ブースの第２の実施例を示す説明図である。図６中、２４は加湿スプレーである。この加湿スプレー２４は例えば、バーナー２５により気体の湿度が２０％を下回るような場合に、湿度を調整し乾燥品質を保つものである。その他の構成は第１実施例のものと実質的に同一である。
【００５１】
尚、上記実施例においては開閉扉に設けられた通気口１０を給気側とし通気口１２を排気側としたが、給気ユニット１０１と気ユニット１０２との接続を逆にして、通気口１２を給気側とし通気口１０を排気側としても良い。但し、この場合は、ミストを含む排気が扉体内、上部ダクト１５を流れるため、途中で堆積し開閉扉の開閉に支障が出る恐れがあるので注意を要する。
【図面の簡単な説明】
【００５２】
【図１】本発明に係る塗装ブースの実施例を示す側面図である。
【図２】前記塗装ブースを示す平面図である。
【図３】開閉扉を内側から見た正面図である。
【図４】開閉扉を内側から見た斜視図である。
【図５】本発明に係る塗装ブースの第２の実施例を示す説明図である。
【図６】従来の塗装ブースの一例を示しＡは側面視断面図でＢは平面図である。
【符号の説明】
【００５３】
ｗ  被塗装物（自動車、電車）
１  床面
２  囲壁
４  第１開閉口
７ａ、７ｂ  扉体
８  通気ボックス
１０  通気口部
１２  通気口部
１００ａ  塗装空間
【図１】
2010051904.tif 000003
【図２】
2010051904.tif 000004
【図３】
2010051904.tif 000005
【図４】
2010051904.tif 000006
【図５】
2010051904.tif 000007
【図６】
2010051904.tif 000008
【手続補正書】
【提出日】平成21年2月4日(2009.2.4)
【手続補正１】
【補正対象書類名】特許請求の範囲
【補正対象項目名】請求項１
【補正方法】変更
【補正の内容】
【請求項１】
上下左右の側壁面で囲まれた塗装空間に水平方向に通気口部を対面させて、両者の間で気体を圧送し、吸引するプッシュプル換気通路を形成する塗装ブースにおいて、
塗装空間内に被塗装物を搬入するための開閉扉であって、前記被塗装物の投影形状よりも大きい一方の通気口部が開閉扉の塗装空間側に設けられ、かつ開閉扉に気体通過口部が設けられ、前記気体通過口部と前記一方の通気口部へ連通する扉内気体通路が設けられた開閉扉と、
前記開閉扉が閉鎖位置にあるときに前記気体通過口部が当接する位置に設けられた気体通用口部であって、前記開閉扉が閉鎖された際に気体通過口部に連通する気体通用口部とを有し、
前記被塗装物の投影形状よりも大きい他の通気口部を前記開閉扉の対面に設け、前記開閉扉が閉鎖された際に前記気体通用口部、前記前記気体通過口部、前記扉内気体通路、前記一方の通気口部、塗装空間、前記他方の通気口部を経るプッシュプル換気通路を形成することを特徴とする塗装ブース。
【手続補正２】
【補正対象書類名】明細書
【補正対象項目名】０００９
【補正方法】変更
【補正の内容】
【０００９】
上記目的を達成するため、本発明は上下左右の側壁面で囲まれた塗装空間に水平方向に通気口部を対面させて、両者の間で気体を圧送し、吸引するプッシュプル換気通路を形成する塗装ブースにおいて、塗装空間内に被塗装物を搬入するための開閉扉であって、前記被塗装物の投影形状よりも大きい一方の通気口部が開閉扉の塗装空間側に設けられ、かつ開閉扉に気体通過口部が設けられ、前記気体通過口部と前記一方の通気口部へ連通する内部通路が設けられた開閉扉と、前記開閉扉が閉鎖位置にあるときに前記気体通過口部が当接する位置に設けられた気体通用口部であって、前記開閉扉が閉鎖された際に気体通過口部に連通する気体通用口部とを有し、前記被塗装物の投影形状よりも大きい他の通気口部を前記開閉扉の対面に設け、前記開閉扉が閉鎖された際に前記気体通用口部、前記前記気体通過口部、前記内部通路、前記一方の通気口部、塗装空間、前記他方の通気口部を経るプッシュプル換気通路を形成することを特徴とする。